(57)【要約】      （修正有）【課題】フレキシブル回路板のコネクタに取り付けて、フレキシブル回路板と端子間に安定した挟持効果を維持し、不当な引張りによる脱落を防止し、電気信号を安定して伝送できる端子構造を提供する。【解決手段】端子１は、第１接触アーム１０と第２接触アーム１１、及び該第１接触アームと該第２接触アームに背向するように設けられたソルダーアームと連動アーム、及び該第１接触アームと該第２接触アーム及び該ソルダーアームと該連動アームの間に設けられた支持アームより成る。さらに、該第１接触アームと該第２接触アームに設けられた接触部１０１、１１１が相互に位置がずれるように設置され、これによりフレキシブル回路板に対する挟持が脱落を発生しにくく、電気信号の伝送の安定性を確保できる。【選択図】図２
0003163461.tif 000002
【実用新案登録請求の範囲】
【請求項１】
コネクタの絶縁ケースの収容溝に取り付けられる端子構造において、
該端子は、
上下に対向するよう設置され、それぞれ接触部が設けられた、第１接触アームと第２接触アームと、
該第１接触アーム、該第２接触アームに背向するように設置された、ソルダーアームと連動アームと、
該第１接触アーム、該第２接触アームと、該ソルダーアーム、該連動アームとの間に設置された支持アームと、
を包含し、その特徴は、
該第１接触アーム、該第２接触アームの接触部が相互に位置がずれるように設置されることで、フレキシブル回路板に対する挟持が脱落しにくいことを特徴とする、端子構造。
【請求項２】
請求項１記載の端子構造において、該第１接触アームと該連動アームが互いに対応し、該連動アームが駆動されると、該第１接触アームが該支持アームを支点とし、該連動アームが駆動されたのと反対方向に、すなわち第２接触アームの接触部に向けて移動することを特徴とする、端子構造。
【請求項３】
請求項２記載の端子構造において、該第１接触アームの接触部は該第２接触アームの接触部の前方に位置することを特徴とする、端子構造。
【請求項４】
請求項１記載の端子構造において、該ソルダーアームの該連動アームに向いた一側に回転溝が設けられたことを特徴とする、端子構造。
【請求項５】
請求項４記載の端子構造において、該第２接触アームの該支持アームに接近した位置に突起が設けられたことを特徴とする、端子構造。
【請求項６】
請求項４記載の端子構造において、該回転溝は逆Ｊ形に設置されて、それに肩部が形成されたことを特徴とする、端子構造。
【請求項７】
請求項４記載の端子構造において、該連動アームの長さは該第１接触アームより短く、且つ該回転溝の上方に位置することを特徴とする、端子構造。
【請求項８】
請求項１記載の端子構造において、該支持アームは該第１接触アーム、該第２接触アームと該ソルダーアーム、該連動アームの間に傾斜するように設置されたことを特徴とする、端子構造。
【考案の詳細な説明】
【技術分野】
【０００１】
本考案は一種の端子構造に係り、特に、フレキシブル回路板のコネクタに取り付けられて、フレキシブル回路板と端子間に安定した挟持効果を提供し、不当な引張りによる脱落を防止し、電気信号の安定した伝送を確保できる、端子構造に関する。
【背景技術】
【０００２】
周知の、フレキシブル回路板のコネクタに取り付けられる端子は、フレキシブル回路板を挟持する第１接触アームと第２接触アーム、及び該第１接触アームと該第２接触アームに背向するように設置されたソルダーアームと連動アーム、及び、該第１接触アーム、第２接触アーム及び該ソルダーアーム、該連動アームの間に設置された支持アームを包含する。該連動アームはコネクタ上の緊迫部品の駆動により、テコ式に第１接触アームを第２接触アームに向けて移動させ、第１接触アーム、第２接触アームの間の挟持口を縮小させ、その間にフレキシブル回路板を挟持する。
【０００３】
しかし、フレキシブル回路板は平坦な表面とされ、且つ第１接触アーム、第２接触アームはその上の円弧状の接触部による対向挟持を行うため、形成される挟持は、単一端子或いは一列全体の端子のいずれに関しても、いずれも点接触形態とされる。このため、フレキシブル回路板が不当に引っ張られる時、極めて脱落しやすく、電気信号接触不良となりやすく、これにより電気信号不安定の現象を形成する。
【考案の概要】
【考案が解決しようとする課題】
【０００４】
本考案の目的は、一種の端子構造を提供することにあり、該端子の第１接触アーム、第２接触アームは有効にフレキシブル回路板を挟持でき、フレキシブル回路板の不当な引張りによる脱落を防止でき、これにより電気信号の安定した伝送を確保できるものとする。
【課題を解決するための手段】
【０００５】
上述の目的を達成するため、本考案の端子構造は、第１接触アームと第２接触アーム、及び該第１接触アームと該第２接触アームに背向するように設けられたソルダーアームと連動アーム、及び、該第１接触アームと該第２接触アーム、及び該ソルダーアームと該連動アームの間に設けられた支持アームを包含し、その特徴は、該第１接触アームと該第２接触アームに設けられた接触部が相互に位置がずれるように設置され、これによりフレキシブル回路板に対する挟持が脱落を発生しにくく、電気信号の伝送の安定性を確保できることにある。
【０００６】
上述の特徴により、該第１接触アームと連動アームが互いに該連動アームが駆動される時、該第１接触アームが該支持アームを支点とし、該連動アームが駆動されたのと反対の方向（すなわち第２接触アームの接触部）に向けて移動する。
【考案の効果】
【０００７】
本考案は、該第１接触アームと該第２接触アームに設けられた接触部が相互に位置がずれるように設置され、これによりフレキシブル回路板に対する挟持が脱落を発生しにくく、電気信号の伝送の安定性を確保できる。
【図面の簡単な説明】
【０００８】
【図１】本考案の端子構造の立体図である。
【図２】本考案の端子が絶縁ケースに組み合わされた局部断面平面図である。
【図３】本考案の端子がフレキシブル回路板を挟持する表示図である。
【図４】本考案の端子が緊迫部材により駆動される表示図である。
【図５】本考案の端子が緊迫部材により駆動される表示図である。
【考案を実施するための形態】
【０００９】
図１に図２、図３を合わせて参照されたい。本考案の端子は、フレキシブル回路板のコネクタの取り付けられる端子であり、該端子１は、第１接触アーム１０、第２接触アーム１１、ソルダーアーム１２及び連動アーム１３、及び支持アーム１４を包含する。
【００１０】
そのうち、該第１接触アーム１０と該第２接触アーム１１は上下に互いに対向するように設置され、それぞれに接触部１０１、１１１が設けられ、これら接触部１０１、１１１は位置がずれるように設置されて、すなわち、相互に距離ｔのずれがあるように設置され、これら接触部１０１、１１１はフレキシブル回路板３との電気信号の接触に用いられる。且つ該第２接触アーム１１の該支持アーム１４に接近する部分には突起１１０が設けられ、該第１接触アーム１０と組み合わされて挟持の効果を提供する。
【００１１】
該ソルダーアーム１２と連動アーム１３は該第１接触アーム１０、該第２接触アーム１１と左右に対応するよう設置される。そのうち、該ソルダーアーム１２は回路板（図示せず）とのハンダ付けに用いられ、それに逆Ｊ形に回転溝１２１が設置されて肩部１２２が形成され、コネクタの緊迫部材２０（図２、３参照）を収容しそれに対して回転するのに供される。該連動アーム１３は該第１接触アーム１０に対応し、且つその長さは該第１接触アーム１０より短く、回転溝１２１の上方付近に位置する。
【００１２】
該支持アーム１４はやや傾斜するように該第１接触アーム１０、第２接触アーム１１と該ソルダーアーム１２、該連動アーム１３の間に設置される。
【００１３】
該連動アーム１３が該緊迫部材２０により駆動される時、該第１接触アーム１０は該支持アーム１４を支点とし、該連動アーム１３が駆動されるのと反対方向（すなわち、第２接触アーム１１の接触部１１１）に向けて移動する。
【００１４】
注意すべきことは、本考案は該第１接触アーム１０の接触部１０１が第２接触アーム１１の接触部１１１の前方に位置をずらして配置され（図１）ていることであり、第１接触アーム１０が該連動アーム１３に駆動された後、該フレキシブル回路板３を有効に挟持する。
【００１５】
また、突起１１０の設置により、第１接触アーム１０と第２接触アーム１１相互の間の距離が縮小され、フレキシブル回路板３が挿入される時、初期挟持位置決め効果を提供できる。
【００１６】
図４と図５を参照されたい。本考案の端子１がコネクタ２に取り付けられた後、第１接触アーム１０と第２接触アーム１１は相互に適当な距離を保持し、接続されるフレキシブル回路板（図３参照）の挿入に供される。且つ接触部１０１、１１１は前述したように相互に位置をずらして設置され、良好な挟持効果を有する。
【００１７】
該緊迫部材２０が該回転溝１２１により、ならびに該回転溝１２１の逆Ｊ形の肩部１２２を支点とし、回転下圧されることで、前述したように、強制的に該連動アーム１３が間接的に該第１接触アーム１０の接触部１０１が駆動されて、第２接触アーム１１の接触部１１１に向けて移動し、フレキシブル回路板を有効に挟持し、これによりフレキシブル回路板を脱落しにくくする。
【００１８】
以上述べたことは、本考案の実施例にすぎず、本考案の実施の範囲を限定するものではなく、本考案の実用新案登録請求の範囲に基づきなし得る同等の変化と修飾は、いずれも本考案の権利のカバーする範囲内に属するものとする。
【符号の説明】
【００１９】
１  端子                    ２  コネクタ
１０  第１接触アーム        １１  第２接触アーム
１２  ソルダーアーム        １３  連動アーム
１４  支持アーム            １０１、１１１  接触部
１１０  突起                １２１  回転溝
１２２  肩部                ２０  緊迫部材
３  フレキシブル回路板
【図１】
0003163461.tif 000003
【図２】
0003163461.tif 000004
【図３】
0003163461.tif 000005
【図４】
0003163461.tif 000006
【図５】
0003163461.tif 000007